(57)【要約】      （修正有）【課題】紙葉類の除電を効果的に行うことができるような紙葉類集積装置を提供する。【解決手段】搬送路１４ｄ上の羽根車３２に対する近傍位置に、第１除電部材１４ｒが設けられており、羽根車の上方であって、羽根車によって搬送される紙幣の後方端部が接触する位置に、第２除電部材３２ｒが設けられている。【選択図】図６
2015022752.tif 000002
【特許請求の範囲】
【請求項１】
紙葉類が１枚ずつ搬送される搬送路と、
前記搬送路に隣接して設けられ、複数の羽根部を有し回転可能であって、隣接する羽根部の間に紙葉類が挿入された状態で回転することで当該紙葉類を搬送する羽根車と、
前記羽根車に隣接して設けられ、前記羽根車によって搬送された紙葉類が集積される集積部と、
を備え、
前記搬送路上の前記羽根車に対する近傍位置であって、当該搬送路によって搬送される紙葉類の一側面と接触する位置に、第1除電部材が設けられており、
前記羽根車の上方であって、当該羽根車によって搬送される紙葉類の他側面の後方端部が接触する位置に、第２除電部材が設けられている
ことを特徴とする紙葉類集積装置。
【請求項２】
前記羽根車は、複数の羽根部と、各羽根部の基端側を支持するボス部と、を有しており、
前記第２除電部材は、前記ボス部の真上領域に位置している
ことを特徴とする請求項１に記載の紙葉類集積装置。
【請求項３】
前記第２除電部材は、紙葉類の搬送方向に向かって左側領域と右側領域とに分離して設けられており、それぞれの前記第２除電部材は、所定の幅を有するように設けられていることを特徴とする請求項１に記載の紙葉類集積装置。
【請求項４】
前記第１除電部材は、除電用のブラシであり、
前記第２除電部材は、除電用の布片である
ことを特徴とする請求項１に記載の紙葉類集積装置。
【請求項５】
前記第１除電部材は、除電用のブラシであり、
前記第２除電部材も、除電用のブラシである
ことを特徴とする請求項１に記載の紙葉類集積装置。
【請求項６】
前記第２除電部材の先端部と前記羽根車の回転軸との距離が、調整可能となっている
ことを特徴とする請求項１に記載の紙葉類集積装置。
【発明の詳細な説明】
【技術分野】
【０００１】
本発明は、搬送されてくる紙葉類を集積する紙葉類集積装置に関する。
【背景技術】
【０００２】
紙葉類の集積を行う紙葉類集積装置は、各種の紙葉類処理装置に組み込まれて幅広く利用されている。例えば、本件出願人による実用新案登録ＣＮ２０２６９４４０７Ｕには、紙幣の集積を行う紙幣集積装置が組み込まれた紙幣計数機が開示されている。
【０００３】
当該紙幣計数機が有する紙幣集積装置は、図８に示すような構成を有している。すなわち、図８に示すように、従来の紙幣集積装置は、紙幣が１枚ずつ搬送される搬送路１１４ｄと、搬送路１１４ｄに隣接して設けられ、複数の羽根部１３２ｂを有し回転可能であって、隣接する羽根部１３２ｂの間に紙幣が挿入された状態で軸１３２ａを中心として反時計回りに回転することで当該紙幣を搬送する羽根車１３２と、羽根車１３２に隣接して設けられ、羽根車１３２によって搬送された紙幣が集積される集積部１３０と、を備えている。
【０００４】
複数の羽根部１３２ｂは、羽根車１３２のボス部１３２ｃの外周面から、回転方向とは逆方向（時計回りの方向）の外方に延びている。これらの羽根部１３２ｂは、図８に示すように、羽根車１３２の外周面において等間隔に設けられている。この羽根車１３２に搬送部１１４ｄから紙幣が１枚ずつ送られると、当該羽根車１３２は、搬送部１１４ｄから送られた紙幣を隣接する２枚の羽根１３２ｂの間に受け止めて、当該紙幣を羽根車１３２の回転によって集積部３０に送るようになっている。このようにして、集積部１３０には羽根車１３２から紙幣が１枚ずつ送られ、この集積部１３０において複数の紙幣が整列された状態で集積される。
【先行技術文献】
【特許文献】
【０００５】
【特許文献１】実用新案登録ＣＮ２０２６９４４０７Ｕ
【発明の概要】
【発明が解決しようとする課題】
【０００６】
羽根１３２ｂや紙幣上に生じる静電気は、紙幣の搬送に不具合を生じさせ得る。従来、羽根１３２ｂに生じた静電気を除去するため、羽根１３２ｂを接地することが行われていた。
【０００７】
しかしながら、羽根１３２ｂを接地しても、紙幣上に生じる静電気は完全には除去されない。そのため、集積部１３０に集積された紙幣が、帯電のため集積部１３０から飛び出してしまうこともあった。このような課題は、樹脂を材料とするポリマー紙幣の普及とともに、より顕著になってきている。
【０００８】
一方で、羽根車によって搬送されている際中の紙幣を除電部材と接触させることは、紙幣を傷めてしまう懸念があるため、従前は全く検討されていなかった。しかしながら、本件発明者は、紙幣の紙質や状態によって、羽根車によって搬送されている際中に紙幣を除電部材と接触させても、さほど紙幣を傷めない場合があることを新たに知見した。
【０００９】
本発明は、このような点を考慮してなされたものであり、紙葉類の除電を効果的に行うことができるような紙葉類集積装置を提供することを目的とする。
【課題を解決するための手段】
【００１０】
本件発明者による知見によれば、羽根車によって搬送されている際中の紙葉類を除電部材と接触させることで、本発明の目的を達成することができる。
【００１１】
すなわち、本発明は、紙葉類が１枚ずつ搬送される搬送路と、前記搬送路に隣接して設けられ、複数の羽根部を有し回転可能であって、隣接する羽根部の間に紙葉類が挿入された状態で回転することで当該紙葉類を搬送する羽根車と、前記羽根車に隣接して設けられ、前記羽根車によって搬送された紙葉類が集積される集積部と、を備え、前記搬送路上の前記羽根車に対する近傍位置であって、当該搬送路によって搬送される紙葉類の一側面と接触する位置に、第1除電部材が設けられており、前記羽根車の上方であって、当該羽根車によって搬送される紙葉類の他側面の後方端部が接触する位置に、第２除電部材が設けられていることを特徴とする紙葉類集積装置である。
【００１２】
本発明によれば、搬送路上の羽根車に対する近傍位置において、搬送路上を搬送されている紙葉類の一側面が第1除電部材と接触するとともに、羽根車の上方において、羽根車によって搬送されている際中の紙葉類の他側面の後方端部が第２除電部材と接触することにより、当該紙葉類の除電を効果的に行うことができる。特に、第1除電部材が接触する紙葉類の面と第２除電部材が接触する紙葉類の面とを異ならせていることにより、紙幣の両面を除電することができる。このことによって、紙葉類が複数の異なる素材のシートを貼り合わせてなるような場合において、当該紙葉類の除電を極めて効果的に行うことができる。
【００１３】
羽根車によって搬送されている際中の紙葉類の搬送状態を安定化するためには、隣接する羽根部の間に紙葉類が完全に挿入された後であって、当該紙葉類が集積部に排出され始める前に、当該紙葉類が第２除電部材と接触することが好ましい。この条件は、前記羽根車が、複数の羽根部と、各羽根部の基端側を支持するボス部と、を有している場合、第２除電部材をボス部の真上領域に位置させることで達成される。
【００１４】
第２除電部材は、紙葉類の搬送方向に向かって左側領域と右側領域とに分離して設けられ、それぞれの第２除電部材は、所定の幅を有するように設けられていることが、紙葉類の搬送状態を安定化する上で好ましい。
【００１５】
例えば、第１除電部材は、除電用のブラシであり、第２除電部材は、除電用の布片である。あるいは、第１除電部材は、除電用のブラシであり、第２除電部材も、除電用のブラシである。
【００１６】
発展的な態様として、第２除電部材の先端部と羽根車の回転軸との距離が、調整可能となっていることが好ましい。例えば、紙葉類のサイズや紙質や状態によって、前記距離が自動的に、あるいは手動で、調整可能であることが好ましい。
【発明の効果】
【００１７】
本発明によれば、搬送路上の羽根車に対する近傍位置において、搬送路上を搬送されている紙葉類の一側面が第1除電部材と接触するとともに、羽根車の上方において、羽根車によって搬送されている際中の紙葉類の他側面の後方端部が第２除電部材と接触することにより、当該紙葉類の除電を効果的に行うことができる。特に、第1除電部材が接触する紙葉類の面と第２除電部材が接触する紙葉類の面とを異ならせていることにより、紙幣の両面を除電することができる。このことによって、紙葉類が複数の異なる素材のシートを貼り合わせてなるような場合において、当該紙葉類の除電を極めて効果的に行うことができる。
【図面の簡単な説明】
【００１８】
【図１】本実用新案の実施の形態による紙幣計数機の正面図である。
【図２】図１に示す紙幣計数機を右方から見たときの側面図である。
【図３】図１等に示す紙幣計数機の内部構成を示す構成図である。
【図４】図３に示す紙幣計数機の内部構成を上方から見たときの上面図である。
【図５】図１等に示す紙幣計数機の機能ブロック図である。
【図６】本実施の形態による紙幣集積装置の側面図である。
【図７】図６に示す紙幣集積装置の正面図である。
【図８】従来の紙幣集積装置を示す側面図である。
【発明を実施するための形態】
【００１９】
以下、図面を参照して本発明の実施の形態について説明する。なお、本実施の形態では、１枚ずつ搬送される紙葉類を集積する紙葉類集積装置を備えた紙葉類計数機として、紙幣の計数を行う紙幣計数機を例に挙げて説明している。図１乃至図５は、本実施の形態に係る紙幣計数機を示す図である。このうち、図１は、本実施の形態による紙幣計数機の正面図であり、図２は、図１に示す紙幣計数機を右方から見たときの側面図である。また、図３は、図１等に示す紙幣計数機の内部構成を示す構成図であり、図４は、図３に示す紙幣計数機の内部構成を上方から見たときの上面図である。また、図５は、図１等に示す紙幣計数機の機能ブロック図である。
【００２０】
図１および図３に示すように、本実施の形態による紙幣計数機１０は、略直方体形状の筐体１１と、紙幣を筐体１１内に投入するための投入部１２と、投入部１２により筐体１１内に投入された紙幣を搬送するための搬送部１４と、搬送部１４により搬送される紙幣の識別を行うための識別部２０と、識別部２０により識別された紙幣が集積される集積部３０とを備えている。
【００２１】
投入部１２には、紙幣計数機１０により計数されるべき複数の紙幣が、操作者により集積状態で載置されるようになっている。具体的には、図１および図２に示すように、投入部１２には透明または半透明のガイド部材１２ａが設けられており、このようなガイド部材１２ａに沿って操作者は１００元等の紙幣を投入部１２に投入することができるようになっている。また、図３に示すように、投入部１２には繰出機構１３が設けられており、投入部１２に集積状態で載置された複数の紙幣は、繰出機構１３により１枚ずつ筐体１１内に繰り出されるようになっている。繰出機構１３は、投入部１２に載置された複数の紙幣のうち最下層の紙幣を蹴り出すキッカローラ１３ａと、キッカローラ１３ａにより蹴り出された紙幣を筐体１１の内部へ繰り出すフィードローラ１３ｂと、フィードローラ１３ｂに対向して設けられ、当該フィードローラ１３ｂとの間でゲート部を形成するゲートローラ（逆転ローラ）１３ｃとを有している。そして、繰出機構１３により筐体１１内に繰り出された紙幣は搬送部１４により１枚ずつ搬送されるようになっている。搬送部１４には、直列に配置された複数の搬送路１４ａ、１４ｂ、１４ｃ、１４ｄが設けられており、紙幣は搬送路１４ａ、１４ｂ、１４ｃ、１４ｄの順に沿って搬送されるようになっている。これらの各搬送路１４ａ、１４ｂ、１４ｃ、１４ｄの構成の詳細については後述する。
【００２２】
搬送部１４には、当該搬送部１４により搬送される紙幣の識別を行うための識別部２０が設けられている。識別部２０は、紙幣の金種、版別、真偽、正損等の識別を行うようになっている。このような識別部２０の構成について図３および図４を用いて詳述する。
【００２３】
識別部２０は、搬送部１４の第３の搬送路１４ｃ（後述）を挟んで配置される一対のラインセンサ２１、２２と、紙幣の搬送方向において一対のラインセンサ２１、２２よりも下流側の箇所に設けられた紫外線センサ２３と、紙幣の搬送方向において一対のラインセンサ２１、２２よりも上流側の箇所に設けられた磁気センサ２４とを有している。
【００２４】
より詳細に説明すると、一対のラインセンサ２１、２２は、図４に示すように、搬送部１４により搬送される紙幣の幅方向に延びるような（すなわち、図３の紙面に直交する方向に延びるような）細長いものからなり、これらのラインセンサ２１、２２には複数の発光素子および複数の受光素子がそれぞれ設けられている。そして、一方のラインセンサ（例えば、ラインセンサ２１）の発光素子から発せられた光が、一対のラインセンサ２１、２２の間にある紙幣を透過して他方のラインセンサ（例えば、ラインセンサ２２）の受光素子で受けられることにより、あるいは、一方のラインセンサ（例えば、ラインセンサ２１）の発光素子から発せられた光が、一対のラインセンサ２１、２２の間にある紙幣で反射して当該一方のラインセンサ２１の受光素子で受けられることにより、紙幣の表面画像に係る情報が得られるようになる。
【００２５】
また、図３および図４に示すように、紙幣の搬送方向において一対のラインセンサ２１、２２よりも下流側の箇所に設けられた紫外線センサ２３は、発光素子および受光素子を有しており、紫外線センサ２３の発光素子から発せられた紫外線が、搬送部１４の第４の搬送路１４ｄ（後述）上にある紙幣で反射して当該紫外線センサ２３の受光素子で受けられることにより、紙幣の蛍光反応に係る情報が得られるようになる。
【００２６】
また、図３および図４に示すように、紙幣の搬送方向において一対のラインセンサ２１、２２よりも上流側の箇所には磁気センサ２４が設けられているとともに、この磁気センサ２４に対向して受けローラ２５が設けられている。そして、搬送部１４により搬送される紙幣は、磁気センサ２４と受けローラ２５との間の隙間を通過するようになっている。
【００２７】
磁気センサ２４の先端部分には磁気ヘッドが設けられており、この磁気ヘッドにより、紙幣の絵柄のインキが磁性を有する場合にはこのインキが検出されるようになっている。また、受けローラ２５の外周面にはナイロン等の多数の毛が植設されており、これらの毛により、紙幣が磁気センサ２４の磁気ヘッドに押し当てられるようになっている。
【００２８】
また、図４に示すように、識別部２０の入口部分および出口部分にはそれぞれタイミングセンサ２６、２７が設けられている。タイミングセンサ２６により紙幣の先端部が検出されることにより、紙幣が識別部２０に入ったと判断され、また、タイミングセンサ２７により紙幣の後端部が検出されることにより、紙幣が識別部２０から出たと判断されるようになっている。
【００２９】
前述したように、識別部２０により識別された紙幣は集積部３０に送られ、この集積部３０に集積されるようになっている。集積部３０は、外部から視認することができる状態で紙幣を集積するようになっている。また、集積部３０には、当該集積部３０から紙幣を取り出すための開口が設けられている。また、図１等に示すように、集積部３０の数は１つである。そして、集積部３０は、識別部２０により識別した順番に沿って紙幣を集積するようになっている。
【００３０】
また、図３および図４に示すように、集積部３０には一対の羽根車３２が設けられており、この羽根車３２は、軸３２ａを中心として図３における反時計回りの方向に回転するようになっている。また、羽根車３２には、その外周面から回転方向とは逆方向（図３における時計回りの方向）の外方に延びる複数の羽根３２ｂが設けられている。これらの羽根３２ｂは、図３に示すように羽根車３２の外周面において等間隔に設けられている。羽根車３２は、紙幣計数機１０の動作中、後述する駆動部３２ｃにより常に図３における反時計回りの方向に回転させられるようになっており、この羽根車３２には、搬送部１４から紙幣が１枚ずつ送られるようになっている。そして、羽根車３２は、搬送部１４から送られた紙幣を２枚の羽根３２ｂの間に受け止めてこの羽根３２ｂ間に受け止められた紙幣を集積部３０に送るようになっている。このようにして、集積部３０には羽根車３２から紙幣が１枚ずつ送られ、この集積部３０において複数の紙幣が整列された状態で集積されるようになる。
【００３１】
前述したように、搬送部１４には、直列に配置された複数の搬送路１４ａ、１４ｂ、１４ｃ、１４ｄが設けられており、紙幣は搬送路１４ａ、１４ｂ、１４ｃ、１４ｄの順に沿って搬送されるようになっている。ここで、第１の搬送路１４ａは、紙幣の搬送方向における磁気センサ２４および受けローラ２５の上流側に配置されている。また、第２の搬送路１４ｂは、紙幣の搬送方向における磁気センサ２４および受けローラ２５の下流側かつ、一対のラインセンサ２１、２２の上流側に配置されている。また、第３の搬送路１４ｃは、一対のラインセンサ２１、２２の間に配置されている。また、第４の搬送路１４ｄは、紙幣の搬送方向における一対のラインセンサ２１、２２の下流側に配置されている。
【００３２】
本実施の形態の紙幣計数機１０では、第１の搬送路１４ａの高さ、および第４の搬送路１４ｄの高さはそれぞれ３ｍｍであるのに対し、第２の搬送路１４ｂの高さ、および第３の搬送路１４ｃの高さはそれぞれ２ｍｍとなっている。このように、第２の搬送路１４ｂの高さは、第１の搬送路１４ａの高さよりも小さいため、このような第２の搬送路１４ｂは、「より上流側にある搬送路の高さ（すなわち、第１の搬送路１４ａの高さ）よりも高さが狭められた狭小部」として機能するようになっている。
【００３３】
また、本実施の形態では、狭小部として機能する第２の搬送路１４ｂの高さは、一対のラインセンサ２１、２２の間にある第３の搬送路１４ｃの高さとほぼ同じとなっている。
【００３４】
このように、狭小部の高さは、一対のラインセンサ２１、２２の対向面の距離とほぼ同じとなっている。なお、本実施の形態の紙幣計数機１０ではこのような態様に限定されることはない。狭小部の高さ（すなわち、第２の搬送路１４ｂの高さ）は、一対のラインセンサ２１、２２の対向面の距離である第３の搬送路１４ｃの高さよりも小さくなっていてもよい。また、狭小部の高さ（すなわち、第２の搬送路１４ｂの高さ）は、一対のラインセンサ２１、２２以外の識別部２０の構成要素における、紙幣が通過する空間の高さとほぼ同じかそれよりも狭くなっていてもよい。
【００３５】
また、紙幣の搬送方向において一対のラインセンサ２１、２２の下流側にある第４の搬送路１４ｄの高さは、狭小部の高さ（すなわち、第２の搬送路１４ｂの高さ）よりも大きくなっている。具体的には、前述したように第２の搬送路１４ｂの高さは２ｍｍとなっているのに対し、紙幣の搬送方向において一対のラインセンサ２１、２２の下流側にある第４の搬送路１４ｄの高さは３ｍｍとなっている。なお、本実施の形態の紙幣計数機１０ではこのような態様に限定されることはない。
【００３６】
また、前述したように、識別部２０は、受けローラ２５と、この受けローラ２５に対向するよう設けられた磁気センサ２４とを有しており、識別部２０において紙幣は受けローラ２５と磁気センサ２４との間を通過するようになっている。ここで、紙幣の搬送方向における磁気センサ２４や受けローラ２５の上流側に第２の搬送路１４ｂと同様の狭小部が設けられていてもよい。この場合には、紙幣の搬送方向における磁気センサ２４や受けローラ２５の上流側に設けられる狭小部の高さは、識別部２０における受けローラ２５と磁気センサ２４との間の空間の高さと同じかそれよりも狭くなることが望ましい。
【００３７】
また、本実施の形態の紙幣計数機１０では、図３に示すように、搬送部１４の搬送路１４ａ、１４ｂ、１４ｃ、１４ｄは紙幣計数機１０の機体内で略直線状に延びている。なお、本実施の形態の紙幣計数機１０ではこのような態様に限定されることはない。変形例として、投入部１２に誤って投入された硬貨が一対のラインセンサ２１、２２に到達することを防止するため、狭小部の上流側にある搬送部１４の搬送路、すなわち第１の搬送路１４ａが湾曲するようになっていてもよい。また、他の変形例として、狭小部である第２の搬送路１４ｂの高さは、紙幣の搬送方向に沿って徐々に狭められるようになっていてもよい。また、第１の搬送路１４ａの高さを、紙幣の搬送方向に沿って徐々に狭め、第１の搬送路１４ａの出口において、狭小部である第２の搬送路１４ｂの高さと同じ高さとなるようにしてもよい。
【００３８】
また、図３および図４に示すように、投入部１２には、当該投入部１２に紙幣が集積されているか否かを検出するための検出センサ４０が設けられている。検出センサ４０は、発光素子および受光素子を有する反射センサからなり、投入部１２に紙幣が集積されている場合には、反射センサの発光素子から発せられた光が、投入部１２に集積された紙幣により反射して当該反射センサの受光素子で受けられるようになる。このようにして、投入部１２に紙幣が集積されているか否かが検出センサ４０により検出されるようになる。
【００３９】
また、図３および図４に示すように、集積部３０には、当該集積部３０に紙幣が集積されているか否かを検出するための一対の検出センサ４２、４４が設けられている。一対の検出センサ４２、４４のうち一方には発光素子が設けられており、他方には受光素子が設けられている。そして、集積部３０に紙幣が集積されていない場合には、一方の検出センサ（例えば、検出センサ４２）の発光素子から発せられた光が、他方の検出センサ（例えば、検出センサ４４）の受光素子で受けられるが、集積部３０に紙幣が集積されている場合には、一方の検出センサ（例えば、検出センサ４２）の発光素子から発せられた光が、集積部３０に集積された紙幣により遮断されて他方の検出センサ（例えば、検出センサ４４）の受光素子で受けられないようになる。このようにして、集積部３０に紙幣が集積されているか否かが一対の検出センサ４２、４４により検出されるようになる。
【００４０】
また、図１等に示す紙幣計数機１０には、当該紙幣計数機１０の各構成要素の制御を行う制御部５０が設けられている。このような紙幣計数機１０の機能ブロック図を図５に示す。図５に示すように、制御部５０には、投入部１２に設けられた繰出機構１３、搬送部１４、識別部２０、羽根車３２の駆動部３２ｃ、投入部１２に設けられた検出センサ４０、集積部３０に設けられた一対の検出センサ４２、４４がそれぞれ接続されている。そして、識別部２０により得られる紙幣の識別情報や、各検出センサ４０、４２、４４により得られる紙幣の検出情報は制御部５０に送られるようになっている。また、制御部５０は紙幣計数機１０の各構成要素、具体的には例えば繰出機構１３、搬送部１４、羽根車３２の駆動部３２ｃ等に指令信号を送り、これらの構成要素の動作を制御するようになっている。
【００４１】
また、図１に示すように、紙幣計数機１０の筐体１１の前面には、操作部５８および表示部６２が設けられている。操作部５８は複数の操作キーを有しており、操作者がこれらの操作キーを押下することにより紙幣計数機１０の制御部５０に様々な指令を与えることができるようになっている。また、表示部６２には紙幣計数機１０による紙幣の計数結果等の様々な情報が表示されるようになっている。
【００４２】
また、図５に示すように、制御部５０には記憶部５６が接続されており、この記憶部５６には紙幣計数機１０による紙幣の計数結果等の様々な情報が記憶されるようになっている。また、制御部５０には画像データ取得部５２および文字認識部５４がそれぞれ接続されている。画像データ取得部５２は、識別部２０における一対のラインセンサ２１、２２により得られた紙幣の表面に係る情報に基づいて、当該紙幣の少なくとも記番号（冠字号）を含む画像データを取得するようになっている。また、文字認識部５４は、画像データ取得部５２により取得された紙幣の表面の画像データに基づいて記番号の文字（例えば、１０桁程度の数字）を認識するようになっている。文字認識部５４としては、例えばＯＣＲ（Ｏｐｔｉｃａｌ  Ｃｈａｒａｃｔｅｒ  Ｒｅｃｏｇｎｉｔｉｏｎ）方式により認識処理するものが用いられるようになっている。
【００４３】
また、図５に示すように、制御部５０には出力部６０が接続されている。出力部６０は、様々な情報の出力を行うようになっている。具体的には、出力部６０は、表示部６２、通信部６６および書込部７０を有している。ここで、通信部６６は、様々な情報を外部の装置に送信するようになっている。具体的には、通信部６６は、接続コードが差し込まれる接続端子６８を有している。また、書込部７０は、様々な情報を記憶媒体に書き込むようになっている。
【００４４】
次に、紙幣計数機１０の筐体１１の側面の構成について図２を用いて説明する。前述したように、図２は、図１に示す紙幣計数機１０を右方から見たときの側面図である。図２に示すように、紙幣計数機１０の筐体１１の側面には、スイッチ８０、電源コードの差込口８１およびヒューズ８２が設けられている。スイッチ８０により、紙幣計数機１０の動作のＯＮ／ＯＦＦを切り換えることができるようになっている。また、差込口８１に電源コードを差し込むことにより、外部から紙幣計数機１０に電力を供給することができるようになっている。また、本実施の形態の紙幣計数機１０には２つのヒューズ８２が設けられている。
【００４５】
また、図２に示すように、紙幣計数機１０の筐体１１の側面には、２つのシリアルインターフェース６８ａ、６８ｂが設けられている。これらのシリアルインターフェース６８ａ、６８ｂには接続コードを差し込むことができるようになっており、シリアルインターフェース６８ａ、６８ｂに差し込まれた接続コードを介して、プリンター等の外部機器を紙幣計数機１０に接続することができるようになっている。また、紙幣計数機１０の筐体１１の側面には、ＳＤカードを差し込むための差込口７０ａおよびＵＳＢを差し込むための差込口７０ｂが設けられている。差込口７０ａにＳＤカードが差し込まれると、このＳＤカードに様々な情報を書き込んだり、ＳＤカードから様々な情報を読み取ったりすることができるようになる。このような差込口７０ａにより、様々な情報を記憶媒体に書き込むための書込部７０が構成されている。また、差込口７０ｂにＵＳＢを差し込むことにより、パーソナルコンピュータ等の外部装置を紙幣計数機１０に接続することができるようになる。シリアルインターフェース６８ａ、６８ｂや差込口７０ｂにより、通信部６６の接続端子６８が構成されている。
【００４６】
さて、続いて、図６及び図７を参照して、本実施の形態の紙幣計数機において採用された紙幣集積装置１１０の詳細を説明する。図６は、本実施の形態による紙幣集積装置１１０の側面図であり、図７は、図６の紙幣集積装置１１０の正面図である。
【００４７】
図３、図６及び図７に示すように、本実施の形態の紙幣計数機が有する紙幣集積装置１１０は、紙幣が１枚ずつ搬送される搬送路１４ｄと、搬送路１４ｄに隣接して設けられ、複数の羽根部３２ｂを有し回転可能であって、隣接する羽根部３２ｂの間に紙幣が挿入された状態で軸３２ａを中心として反時計回りに回転することで当該紙幣を搬送する羽根車３２と、羽根車３２に隣接して設けられ、羽根車３２によって搬送された紙幣が集積される集積部３０と、を備えている。
【００４８】
複数の羽根部３２ｂは、羽根車３２のボス部３２ｃの外周面から、回転方向とは逆方向（時計回りの方向）の外方に延びている。これらの羽根部３２ｂは、図３及び図６に示すように、羽根車３２の外周面において等間隔に設けられている。この羽根車３２に搬送部１４ｄから紙幣が１枚ずつ送られると、当該羽根車３２は、搬送部１４ｄから送られた紙幣を隣接する２枚の羽根３２ｂの間に受け止めて、当該紙幣を羽根車３２の回転によって集積部３０に送るようになっている。このようにして、集積部３０には羽根車３２から紙幣が１枚ずつ送られ、この集積部３０において複数の紙幣が整列された状態で集積されるようになっている。
【００４９】
そして、搬送路１４ｄ上の羽根車３２に対する近傍位置に、第１除電部材１４ｒが設けられている。第１除電部材１４ｒは、搬送路１４ｄの上方に向けて突出するように設けられており、搬送される紙幣の下面に接触するようになっている。また、羽根車３２の上方であって、羽根車３２によって搬送される紙幣の後方端部が接触する位置に、第２除電部材３２ｒが設けられている。ここで、紙幣の後方端部とは、搬送路１４ｄ上を搬送されているときの紙幣の後方端部と同じ部位であり、羽根車３２の隣接する２枚の羽根部３２ｂの間に受け止められて回転している紙幣の、各羽根部３２ｂの基端側から遠い側にある端部である。羽根車３２により回転しているときの紙幣の後方端部は、羽根部３２ｂに拘束されない自由端となり、慣性力により、回転方向後方に撓んだ状態となる。第２除電部材３２ｒに接触する紙幣の面は、羽根車３２による回転方向側の面であり、搬送路１４ｄ上を搬送されているときの紙幣の上面である。すなわち、第１除電部材が接触する紙幣の面と、第２除電部材が接触する紙幣の面とは、異なっている。このことにより、紙幣の両面を除電することができ、除電を効果的に行うことができる。近年、普及が進んでいるポリマー紙幣は、複数の素材のシートを貼り合わせて構成されていて、紙幣の両面間で静電気が導通しにくいものがある。本実施の形態によれば、そのようなポリマー紙幣であっても、紙幣の両面を除電することにより、紙幣全体を十分に除電できる。
【００５０】
本実施の形態では、羽根車３２は、複数の羽根部３２ｂと、各羽根部３２ｂの基端側を支持するボス部３２ｃと、を有しており、第２除電部材３２ｒは、ボス部３２ｃの真上領域に位置している。これにより、隣接する羽根部３２ｂの間に紙幣が完全に挿入された後であって、当該紙幣が集積部３０に排出され始める前に、当該紙幣が第２除電部材３２ｒと接触することが保証され、紙幣が羽根部３２ｂの間から抜け出すことが防止される。ここで、第２除電部材３２ｒに接触する紙幣の部位が、羽根部３２ｂに拘束されない自由端（後方端部）であることも、紙幣が羽根部３２ｂの間から抜け出すことを防止することに寄与する。
【００５１】
また、本実施の形態では、図７に示すように、第２除電部材３２ｒは、紙幣の搬送方向に向かって左側領域と右側領域とに分離して設けられ、それぞれの第２除電部材３２ｒは所定の幅を有するように設けられている。これにより、第２除電部材は、羽根車３２によって搬送されている際中の紙幣の自由端側の左右の両端部に接触できる。紙幣の自由端側の左右の両端部は、他の部分に比べて撓みやすいので、当該両端部に第２除電部材が接触しても、紙幣の搬送状態への影響は最小限に抑えられる。
【００５２】
本実施の形態では、第１除電部材１４ｒは、除電用のブラシであり、第２除電部材３２ｒは、除電用の布片である。もっとも、第２除電部材３２ｒについても、除電用のブラシが採用されてよい。
【００５３】
次に、このような構成からなる紙幣計数機１０の動作について説明する。具体的には、紙幣計数機１０による紙幣の計数方法について説明する。なお、以下に示すような紙幣計数機１０の動作は、制御部５０が紙幣計数機１０の各構成要素を制御することにより行われる。
【００５４】
まず、紙幣計数機１０により計数されるべき紙幣の束を、操作者が投入部１２に積層状態で載置する。そして、操作者が開始／停止キーである操作キー５８ａを押下すると、投入部１２に積層状態で載置された紙幣は、繰出機構１３により１枚ずつ筐体１１内に繰り出される。そして、繰出機構１３により筐体１１内に繰り出された紙幣は搬送部１４により１枚ずつ搬送される。この際に、紙幣は搬送路１４ａ、１４ｂ、１４ｃ、１４ｄの順に沿って搬送される。また、紙幣が搬送部１４により搬送される間に、当該紙幣は識別部２０により金種、版別、真偽、正損等の識別が行われる。そして、識別部２０により識別された紙幣は、搬送部１４により集積部３０に送られ、この集積部３０で集積されるようになる。
【００５５】
本実施の形態の紙幣計数機１０では、識別部２０により識別された紙幣がリジェクトすべき紙幣であると判定されたときには、そのリジェクトすべき紙幣が集積部３０に集積された時点で、繰出機構１３、搬送部１４および羽根車３２の動作を停止するとともに、リジェクトすべき紙幣（以下、「リジェクト紙幣」ともいう）であると判定された紙幣の１枚前に識別部２０に識別された紙幣の記番号を表示部６２に表示させるようになっている。より詳細には、識別部２０により識別された紙幣がリジェクトすべき紙幣であると判定されたときに、新たな紙幣の取り込みを停止するよう繰出機構１３を停止させてもよい。
【００５６】
あるいは、識別部２０により識別された紙幣がリジェクトすべき紙幣であると判定されたときに、リジェクトすべき紙幣を集積部３０に集積し、新たな紙幣の集積部３０への集積を禁止してもよい。あるいは、識別部２０により識別された紙幣がリジェクトすべき紙幣であると判定されたときに、リジェクトすべき紙幣を集積部３０に集積し、その後搬送部１４を停止させてもよい。なお、集積部３０には、識別部２０により識別した順番に紙幣が集積され、リジェクト紙幣であると判定された紙幣は、集積紙幣の最上位に集積されるようになる。
【００５７】
前述のように、リジェクト紙幣であると判定された紙幣の１枚前に識別部２０に識別された紙幣の記番号を表示部６２に表示させることにより、集積部３０に集積された複数の紙幣のうち、リジェクト紙幣を容易に特定することができるようになる。すなわち、表示部６２に表示された記番号の紙幣の１枚上の紙幣を、リジェクト紙幣とみなすことができるようになる。とりわけ、連鎖や重送等の搬送異常により、２枚以上の紙幣がリジェクト紙幣として集積部３０に送られた場合、従来では集積部３０に集積された紙幣のうちどこまでがリジェクト紙幣であるかを判断するのが困難であったが、本実施の形態による方法では、リジェクト紙幣を容易に特定することができるようになる。そして、操作者は、集積部３０に集積された紙幣のうち、リジェクト紙幣を取り除いて、残りの紙幣を再び投入部１２に投入して紙幣の再計数を行う。あるいは、リジェクト紙幣に係る情報を操作者が操作部５８により手入力してもよい。
【００５８】
また、本実施の形態の紙幣計数機１０では、リジェクト紙幣の１枚前に識別部２０に識別された紙幣の記番号を含む、リジェクト紙幣よりも前に識別部２０に識別された所定の枚数の紙幣の記番号が表示部６２に表示されるようになっていてもよい。この場合には、リジェクト紙幣の特定をより容易に行うことができるようになる。
【００５９】
また、本実施の形態の紙幣計数機１０では、リジェクト紙幣の１枚前に識別部２０に識別された紙幣の記番号に加えて、識別部２０により識別された正常な紙幣の枚数も表示部６２に表示されるようになっていてもよい。また、リジェクト紙幣が識別部２０により識別されたときに、リジェクト紙幣が識別部２０により識別された旨の情報（例えば、「正常な紙幣ではないリジェクト紙幣が識別されましたので集積部から取り除いてください」というメッセージ）が表示部６２に表示されるようになっていてもよい。
【００６０】
また、本実施の形態の紙幣計数機１０では、リジェクト紙幣の１枚前に識別部２０に識別された紙幣の記番号に加えて、識別部２０により識別されたリジェクト紙幣のリジェクト要因に関する情報も表示部６２に表示されるようになっていてもよい。ここで、リジェクト紙幣のリジェクト要因としては、例えば「連鎖」「重送」「斜行」「偽券」「金種判別不可」等が挙げられる。
【００６１】
なお、本実施の形態の紙幣計数機１０では、識別部２０により識別された紙幣がリジェクト紙幣であると判定されたときに、リジェクト紙幣の１枚前に識別部２０に識別された紙幣の記番号が表示部６２に表示されるようになっているが、本実施の形態の紙幣計数機１０はこのような態様に限定されることはない。本実施の形態の紙幣計数機１０では、識別部２０により識別された紙幣がリジェクト紙幣であると判定されたときに、リジェクト紙幣の１枚前に識別部２０に識別された紙幣の記番号が出力部６０により出力されるようになっていてもよい。具体的には、リジェクト紙幣の１枚前に識別部２０に識別された紙幣の記番号が表示部６２に表示される代わりに、あるいは表示部６２に表示されることに加えて、リジェクト紙幣の１枚前に識別部２０に識別された紙幣の記番号が通信部６６から出力され、紙幣計数機１に接続されたプリンターにより印字されるようになっていてもよい。
【００６２】
また、他の例としては、識別部２０により識別された紙幣がリジェクト紙幣であると判定されたときに、リジェクト紙幣の１枚前に識別部２０に識別された紙幣の記番号が書込部７０によりＳＤカード等の記憶媒体に書き込まれるようになっていてもよい。
【００６３】
以上のように本実施の形態の紙幣計数機１０によれば、搬送部１４の搬送路における識別部２０（具体的には、一対のラインセンサ２１、２２）よりも上流側の所定の箇所において、前記搬送路における入口部分での高さよりも高さが狭められた狭小部が設けられている。より具体的には、紙幣の搬送方向における一対のラインセンサ２１、２２よりも上流側に配置される第２の搬送路１４ｂが狭小部として機能するようになっており、この第２の搬送路１４ｂの高さは、搬送部１４の搬送路のうち当該搬送部１４の入口部分に設けられた第１の搬送路１４ａの高さよりも高さが狭められている。より詳細には、第２の搬送路１４ｂの高さは例えば２ｍｍであり、第１の搬送路１４ａの高さは例えば３ｍｍであり、第２の搬送路１４ｂの高さは第１の搬送路１４ａの高さよりも小さくなっている。このことにより、投入部１２に硬貨が誤って投入されてしまった場合でも、このような硬貨が狭小部（第２の搬送路１４ｂ）で止まることにより、識別部２０におけるラインセンサ２１、２２に到達することを防止することができる。
【００６４】
また、本実施の形態では、羽根車３２の上方において、羽根車３２によって搬送されている際中の紙幣の後方端部が第２除電部材３２ｒと接触することにより、当該紙幣の除電を効果的に行うことができる。
【００６５】
特に、第２除電部材３２ｒがボス部３２ｃの真上領域に位置しているため、隣接する羽根部３２ｂの間に紙幣が完全に挿入された後であって、当該紙幣が集積部３０に排出され始める前に、当該紙幣が第２除電部材３２ｒと接触することが保証される。これにより、羽根車３２によって搬送されている際中の紙幣の搬送状態が安定化する。
【００６６】
また、本実施の形態では、図７に示すように、第２除電部材３２ｒが、紙幣の搬送方向に向かって左側領域と右側領域とに分離して設けられ、それぞれの第２除電部材３２ｒが所定の幅を有するように設けられているため、紙幣の搬送状態を安定化することができる。
【００６７】
発展的に、第２除電部材３２ｒの先端部と羽根車３２の回転軸３２ａとの距離が、調整可能となっていることが好ましい。例えば、紙幣の紙質や状態によって、前記距離が自動的に、あるいは手動で、調整可能であることが好ましい。
【００６８】
なお、本発明による紙葉類計数機は、上記の態様に限定されるものではなく、様々の変更を加えることができる。より詳細には、本発明による紙葉類計数機は、紙幣の計数を行う紙幣計数機に限定されることはない。本発明による紙葉類計数機として、小切手や商品券等の、紙幣以外の紙葉類の計数を行うものを用いてもよい。
【００６９】
また、本発明による紙葉類計数機は、１つの投入部および１つの集積部が設けられたものに限定されることはない。本発明による紙葉類計数機の他の態様として、２つ以上の投入部が設けられており、各投入部に投入された紙葉類が筐体の内部に取り込まれて識別部により識別されるようになっていてもよい。また、他の例としては、２つ以上の集積部が設けられており、識別部により識別された紙葉類が各集積部に振り分けられるようになっていてもよい。
【図１】
2015022752.tif 000003
【図２】
2015022752.tif 000004
【図３】
2015022752.tif 000005
【図４】
2015022752.tif 000006
【図５】
2015022752.tif 000007
【図６】
2015022752.tif 000008
【図７】
2015022752.tif 000009
【図８】
2015022752.tif 000010
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
紙葉類が１枚ずつ搬送される搬送路と、
前記搬送路に隣接して設けられ、複数の羽根部を有し回転可能であって、隣接する羽根部の間に紙葉類が挿入された状態で回転することで当該紙葉類を搬送する羽根車と、
前記羽根車に隣接して設けられ、前記羽根車によって搬送された紙葉類が集積される集積部と、
を備え、
前記搬送路上の前記羽根車に対する近傍位置に、当該搬送路の上方に向けて突出し、搬送される紙葉類の下面に接触する第１除電部材が設けられており、
前記羽根車の上方であって、当該羽根車によって搬送される紙葉類の後方端部の、前記搬送路上を搬送されているときの紙葉類の上面が接触する位置に、第２除電部材が設けられおり、
前記羽根車は、複数の羽根部と、各羽根部の基端側を支持するボス部と、を有しており、
前記第２除電部材は、隣接する前記羽根部の間に紙葉類が完全に挿入された後であって、当該紙葉類が前記集積部に排出され始める前に当該紙葉類と接触するように、前記ボス部の真上領域に位置するとともに、紙葉類の搬送方向に向かって左側領域と右側領域とに分離して設けられており、それぞれの前記第２除電部材は、所定の幅を有し、紙葉類の前記後方端部の左右の両端部に接触するように設けられている
ことを特徴とする紙葉類集積装置。
【請求項２】
前記第１除電部材は、除電用のブラシであり、
前記第２除電部材は、除電用の布片である
ことを特徴とする請求項１に記載の紙葉類集積装置。
【請求項３】
前記第１除電部材は、除電用のブラシであり、
前記第２除電部材も、除電用のブラシである
ことを特徴とする請求項１に記載の紙葉類集積装置。
【請求項４】
前記第２除電部材の先端部と前記羽根車の回転軸との距離が、調整可能となっている
ことを特徴とする請求項１に記載の紙葉類集積装置。